(57)【要約】【課題】除電針の変形を防止できる除電装置を提供する。【解決手段】先端が搬送されてくる記録媒体の面に向かうように記録媒体の幅方向に複数配置された、記録媒体の電荷を除去するための除電針９８と、複数の除電針の上流側近傍に配置され、記録媒体側の端部が除電針の先端よりも記録媒体の面に近い位置に配置された接触防止部材９３と、除電針の下流側に当接し、または除電針の下流側近傍に配置され、除電針の折れ曲がりを防止する折れ防止部材９９とを備える。【選択図】図４
2010256790.tif 000002
【特許請求の範囲】
【請求項１】
先端が搬送されてくる記録媒体の面に向かうように前記記録媒体の幅方向に複数配置された、前記記録媒体の電荷を除去するための除電針と、
前記複数の除電針の上流側近傍に配置され、前記記録媒体側の端部が前記除電針の先端よりも前記記録媒体の面に近い位置に配置された接触防止部材と、
前記除電針の下流側に当接し、または前記除電針の下流側近傍に配置され、前記除電針の折れ曲がりを防止する折れ防止部材とを備えた除電装置。
【請求項２】
前記除電針を１本ごとに仕切るように、前記各除電針間に配置された仕切り部材を備えた、請求項１に記載の除電装置。
【請求項３】
前記接触防止部材は、板状であり、
前記折れ防止部材は、前記除電針ごとに設けられたブロック部材である、請求項２に記載の除電装置。
【請求項４】
前記仕切り部材は、三角板形状であり、一つの端面が前記接触防止部材に当接し、他の一つの端面が前記接触防止部材の上端面から段差なく連続した形状となっており、
前記折れ防止部材は、前記仕切り部材に平行な三角板形状であり、前記記録媒体側の頂点が前記除電針の先端よりも前記記録媒体の面から遠い位置に配置された、請求項３に記載の除電装置。
【請求項５】
表面に現像剤画像が形成される一または複数の像担持体と、
前記像担持体に形成された現像剤画像が、複数転写されて重ね合わされる中間転写体と、
記録媒体の電荷を除去するための請求項１〜４のいずれかに記載の除電装置を有し、前記中間転写体に転写された前記現像剤画像を前記記録媒体上に二次転写する二次転写部と、を備えた画像形成装置。
【発明の詳細な説明】
【技術分野】
【０００１】
本発明は、プリンタ、複写機、およびファクシミリなどの画像形成装置、および画像形成装置に用いる除電装置に関する。
【背景技術】
【０００２】
像担持体表面に作像し現像したトナー画像を、直接、またはさらに中間転写体に転写した後に、転写ローラ等により記録媒体上にトナー画像を転写する方式の画像形成装置では、記録媒体上に転写する際にトナー画像とは逆極性のバイアスを印加するので、このとき記録媒体が帯電状態となる。
【０００３】
転写部でトナー画像の転写を受けた記録媒体は、転写ローラから分離されて画像定着部へ搬送され画像の定着処理を受ける。この場合、記録媒体が上記の帯電状態のまま転写部から画像定着部へ向けて搬送されると、その搬送の間に記録媒体が搬送ガイドなどに接触し、記録媒体上の電荷がリークして記録媒体上の未定着トナー画像に乱れを生じ、画像不良を発生しやすい。
【０００４】
そこで、このような画像不良の発生を防止するために、転写工程の直後に除電針などの除電手段を設け、記録媒体に過剰に乗った電荷を除電するようにしている。
【０００５】
除電針による記録媒体の除電は、除電針の高さを記録媒体の搬送経路ギリギリまで高くすることが効果的であるため、除電針の先端は露出している。
【０００６】
したがって、ジャム処理等のため、画像形成装置本体の開閉部材を開いて、ユーザが装置本体内部に手を入れてジャム紙を取り除く際に、記録媒体経路上に突出している除電針の尖った先端部に手指を不用意に触れ易い。
【０００７】
不用意に除電針の先端に触れることを防止する構成として、除電針の昇降制御を行う画像形成装置が提案されている（例えば、特許文献１参照）。
【０００８】
図７に、特許文献１に記載されているプリンタの、記録シートへの転写部分の拡大構成図を示す。
【０００９】
このプリンタは、感光体ドラム１００の表面に静電潜像が形成され、トナー画像として現像される。そのトナー画像が、感光体ドラム１００と転写ローラ１０１との間の転写部位（圧接ニップ部）に、感光体ドラム１００の回転とタイミングを合わせて搬送ガイド１０２に案内されて搬送されてきた記録シート１０５に対して順次に転写されていく。
【００１０】
転写ローラ１０１は、感光体ドラム１００に対して所定の押圧力をもって圧接させてあり、感光体ドラム１００とほぼ同一の周速度をもって感光体ドラム１００の回転に順方向に回転しており、また転写バイアスが印加される。
【００１１】
転写部出口側の近傍には、除電装置として、ホルダ１０４に収納された除電針１０３が配置されている。
【００１２】
転写部を通過した記録シート１０５は、感光体ドラム１００から順次に分離されて除電針１０３の上側を接近通過して、搬送ガイド１０２に案内されて画像定着部へ搬送される。記録シート１０５は、除電針１０３の上側を接近通過していくとき除電針１０３により過剰電荷の除電を受ける。
【００１３】
除電針１０３は、昇降可能な構成となっており、プリンタ本体の開閉部材を開いたときに、除電針１０３が下降し、その先端部分がホルダ１０４内に収納されるように制御される。
【００１４】
図７で、除電針１０３の実線で示した部分は、上がった状態の位置を示しており、破線で示した部分は、下がった状態の位置を示している。
【００１５】
プリンタ本体の開閉部材が閉じているときには、除電針１０３は、上がった状態となり、このときの除電針１０３の位置は、その先端が、その上方約１〜２ｍｍ離れたところを感光体ドラム１００から分離されて搬送されてくる記録シート１０５の背面が通過する高さ位置となるように設定されている。
【００１６】
そして、プリンタ本体の開閉部材が開けられたときには、除電針１０３は、下がった状態となり、ジャム紙を取り除く等のためにユーザがプリンタ本体内部に手を入れても、除電針１０３の尖った先端部に手指が触れることを防止している。
【先行技術文献】
【特許文献】
【００１７】
【特許文献１】特開平７−１０４５８５号公報
【発明の概要】
【発明が解決しようとする課題】
【００１８】
しかしながら、従来の画像形成装置の構造では、記録シートの搬送中に記録シートが除電針に接触して、除電針が変形してしまうことがあった。
【００１９】
すなわち、図７に示すように、記録シート１０５の搬送中には、除電針１０３の先端部分は、ホルダ１０４から突出した状態となっている。記録シート１０５は、その材質や、湿度などによる状態の違いによって搬送状態が不安定になると、除電針１０３の先端部分に接触する場合がある。
【００２０】
また、除電針１０３の先端が記録シート１０５に突き刺さったような場合には、ジャム処理をする際に、除電針１０３が下がったとしても記録シート１０５に突き刺さったままとなるため、記録シート１０５を取り除くときに除電針１０３を変形させてしまうおそれがある。
【００２１】
本発明は、上記従来の除電装置の課題を考慮して、除電針の変形を防止できる除電装置および画像形成装置を提供することを目的とする。
【課題を解決するための手段】
【００２２】
上述した課題を解決するために、第１の本発明は、
先端が搬送されてくる記録媒体の面に向かうように前記記録媒体の幅方向に複数配置された、前記記録媒体の電荷を除去するための除電針と、
前記複数の除電針の上流側近傍に配置され、前記記録媒体側の端部が前記除電針の先端よりも前記記録媒体の面に近い位置に配置された接触防止部材と、
前記除電針の下流側に当接し、または前記除電針の下流側近傍に配置され、前記除電針の折れ曲がりを防止する折れ防止部材とを備えた除電装置である。
【００２３】
また、第２の本発明は、
前記除電針を１本ごとに仕切るように、前記各除電針間に配置された仕切り部材を備えた、第１の本発明の除電装置である。
【００２４】
また、第３の本発明は、
前記接触防止部材は、板状であり、
前記折れ防止部材は、前記除電針ごとに設けられたブロック部材である、第２の本発明の除電装置である。
【００２５】
また、第４の本発明は、
前記仕切り部材は、三角板形状であり、一つの端面が前記接触防止部材に当接し、他の一つの端面が前記接触防止部材の上端面から段差なく連続した形状となっており、
前記折れ防止部材は、前記仕切り部材に平行な三角板形状であり、前記記録媒体側の頂点が前記除電針の先端よりも前記記録媒体の面から遠い位置に配置された、第３の本発明の除電装置である。
【００２６】
また、第５の本発明は、
表面に現像剤画像が形成される一または複数の像担持体と、
前記像担持体に形成された現像剤画像が、複数転写されて重ね合わされる中間転写体と、
記録媒体の電荷を除去するための第１〜第４のいずれかの本発明の除電装置を有し、前記中間転写体に転写された前記現像剤画像を前記記録媒体上に二次転写する二次転写部と、を備えた画像形成装置である。
【発明の効果】
【００２７】
本発明により、除電針の変形を防止できる除電装置および画像形成装置を提供できる。
【図面の簡単な説明】
【００２８】
【図１】本発明の実施の形態１における複写機の正面の構成断面図
【図２】本発明の実施の形態１における複写機の二次転写部の構成図
【図３】（ａ）本発明の実施の形態１の除電ユニットを構成する上流側ガイド部の上面図、（ｂ）本発明の実施の形態１の除電ユニットを構成する除電針板の斜視図、（ｃ）本発明の実施の形態１の除電ユニットを構成する下流側ガイド部の斜視図
【図４】本発明の実施の形態１の除電ユニットの拡大斜視図
【図５】本発明の実施の形態１の除電ユニットのＢ−Ｂ´断面図
【図６（ａ）】本発明の実施の形態１の、他の構成の除電ユニットの拡大斜視図
【図６（ｂ）】本発明の実施の形態１の、他の構成の除電ユニットの拡大斜視図
【図６（ｃ）】本発明の実施の形態１の、他の構成の除電ユニットの拡大斜視図
【図７】従来のプリンタの転写部分の拡大構成図
【発明を実施するための形態】
【００２９】
以下に、本発明にかかる画像形成装置の一実施例である複写機について、図面を参照しながら説明する。
【００３０】
（実施の形態１）
図１は、本発明の実施の形態１における複写機の正面の構成断面図である。
【００３１】
図１に示すように、本実施の形態１の複写機１は、底部に画像形成される用紙を収納するための複数の給紙カセット２を備えている。また、複写機１は、その上部に、露光ランプ、レンズ、ミラー等により原稿の画像を読み取る原稿読み取り部３を備えている。
【００３２】
また、本実施の形態１の複写機１は、タンデム方式を用いたカラー複写機であり、水平方向に順に配置されたブラック画像形成部４、イエロー画像形成部５、シアン画像形成部６、およびマゼンダ画像形成部７を備えている。これら画像形成部によって形成された画像を重ね合わせるための中間転写ベルト８が配置されている。また、中間転写ベルト８上で重ね合わされたトナー画像を用紙に転写する二次転写部９と、転写されたトナー画像を用紙に定着させる定着部１０が設けられている。
【００３３】
また、二次転写部９の用紙搬送方向（矢印Ｅ参照）上流側には、レジストローラ２５が設けられており、二次転写部９と定着部１０の間には、用紙を搬送するための搬送ベルト２６が設けられている。また、定着部１０を通過した用紙を複写機１外へと排出するための排出ローラ対１２が側面に設けられており、排出ローラ対１２によって排出された用紙が載置される排出トレイ１３が設けられている。なお、図１には、用紙の搬送方向が矢印Ｅで示されている。
【００３４】
次に、画像形成部および中間転写ベルト８の構成について説明する。
【００３５】
ブラック画像形成部４は、アモルファスシリコン製の感光体ドラム４０、帯電器４１、現像器４２およびクリーニング部４３、除電器４４等から構成されている。また、ブラック画像形成部４の帯電器４１によって帯電された感光体ドラム４０の表面を光走査することによって静電潜像を形成するレーザースキャナーユニット（以下、ＬＳＵと呼ぶ）４６が、感光体ドラム４０の上方に設けられている。同様に、他の画像形成部５、６、７も、感光体ドラム５０、６０、７０、帯電器５１、６１、７１、現像器５２、６２、７２、クリーニング部５３、６３、７３、除電器５４、６４、７４およびＬＳＵ５６、６６、７６等を有している。
【００３６】
また、中間転写ベルト８を挟んで感光体ドラム４０、５０、６０、７０のそれぞれに対向するように一次転写ローラ１４、１５、１６、１７が配置されており、中間転写ベルト８を挟んで対向する感光体ドラム４０、５０、６０、７０に押圧されている。また、現像器４２、５２、６２、７２には、感光体ドラム４０、５０、６０、７０の表面にトナーを供給するために、感光体ドラムに当接して配置されている現像ローラ４５、５５、６５、７５が設けられている。
【００３７】
また、中間転写ベルト８は、走行性と高画質を両立させるために、樹脂ベルト上にゴム等の弾性部材の層を設けたものが用いられている。
【００３８】
図２は、二次転写部９の斜視図を示している。
【００３９】
二次転写部９は、二次転写ローラ９２と除電ユニット９１を備えている。除電ユニット９１は、二次転写ローラ９２の下流側近傍に設けられており、二次転写後に用紙に帯電している電荷を除去する。二次転写ローラ９２は中間転写ベルト８の回転方向（矢印Ａ参照）を基準にしてブラック画像形成部４の下流側、とマゼンダ画像形成部７の上流側であって、中間転写ベルト８の外側に配置されている。
【００４０】
また、二次転写ローラ９２に対向するように、中間転写ベルト８の内側には従動ローラ２１が設けられている。更に、マゼンダ画像形成部７の上流側近傍には、中間転写ベルト８の内側に従動ローラ２２が設けられている。また、ブラック画像形成部４の下流側であって、従動ローラ２１の上流側の中間転写ベルト８の内側には、中間転写ベルト８を駆動するための駆動ローラ２４が設けられている。また、図１に示すように、従動ローラ２２の上流側であって、従動ローラ２１の下流側には、中間転写ベルト８のオモテ面（感光体ドラムに当接する側の面）の残留トナーを取り除くためのクリーニング装置１１が配置されている。
【００４１】
なお、除電ユニット９１が、本発明の除電装置の一例にあたる。また、感光体ドラム４０、５０、６０、７０が、本発明の複数の像担持体の一例にあたり、中間転写ベルト８が、本発明の中間転写体の一例にあたる。また、トナー画像を転写する用紙が、本発明の記録媒体の一例にあたる。
【００４２】
次に、本実施の形態１の複写機の画像形成方法について説明する。
【００４３】
原稿読み取り部３によって読み取られた画像データに基づいて、ブラック画像形成部４、イエロー画像形成部５、シアン画像形成部６およびマゼンダ画像形成部７において、帯電器４１、５１、６１、７１、により一様に帯電された感光体ドラム４０、５０、６０、７０の表面にＬＳＵ４６、５６、６６、７６により静電潜像が形成され、現像器４２、５２、６２、７２により可視化されたトナー画像が形成される（図１参照）。この時、感光体ドラム４０、５０、６０、７０上のトナーはプラスに帯電しており、一次転写ローラ１４、１５、１６、１７に印加されたマイナスの電圧と、一次転写ローラの押圧力によって、マゼンダ、シアン、イエロー、ブラックの順でトナー画像が中間転写ベルト８上に重ね合わされる。
【００４４】
なお、一次転写により感光体ドラム４０、５０、６０、７０上に残ったトナーは、クリーニング部４３、５３、６３、７３により除去され、感光体ドラム４０、５０、６０、７０の表面は、除電器４４、５４、６４、７４により帯電が除去される。
【００４５】
同時に、給紙カセット２から用紙が給紙され、用紙はレジストローラ２５によって一旦停止し、中間転写ベルト８上のトナー画像が形成された領域の移動タイミングに合わせて二次転写部９へと送り出される。
【００４６】
そして、二次転写ローラ９２によって中間転写ベルト８上に重ね合わされたトナー画像が用紙上に転写された後、帯電して用紙に過剰に乗った電荷を除電ユニット９１によって除去されて、用紙は搬送ベルト２６によって定着部１０へと搬送される。そして、定着部１０にてトナー画像が定着された用紙が、排出ローラ対１２を通って排出トレイ１３上へ排出される（図１参照）。
【００４７】
読み取られた画像データ分の印刷が終了すると、感光体ドラム４０、５０、６０、７０、中間転写ベルト８および二次転写ローラ９２等の動作が停止され、画像形成動作が終了する。
【００４８】
次に、本実施の形態１の除電ユニット９１の構造について説明する。
【００４９】
図３に、除電ユニット９１を構成する３つの部材の上面図および斜視図を示す、図３（ａ）には、上流側ガイド部９３の上面図を、図３（ｂ）および（ｃ）には、それぞれ除電針板９４および下流側ガイド部９５の斜視図を示している。
【００５０】
上流側ガイド部９３と下流側ガイド部９５の間に除電針板９４を挟んで除電ユニット９１が構成されている。
【００５１】
図４に、これらの３つの部材で構成された除電ユニット９１の拡大斜視図を示す。
【００５２】
除電針板９４は、ＳＵＳで構成されており、図３（ｂ）に示すように、平板状のフレーム部９７の一端側に、複数の除電針９８が一列に形成されている。除電針９８のピッチ３ｍｍまたは４ｍｍで、針部分の長さは３．５ｍｍである。除電針板９４は、ＳＵＳ以外でも導電性の材料であればよく、二次転写部９に組み付けられたときに接地される。
【００５３】
図３（ａ）に示すように、上流側ガイド部９３上部には、三角板形状の仕切り部９６が複数形成されており、図４に示すように、除電ユニット９１として組み付けられたときに、隣接する除電針９８を１本ずつ仕切るように配置される。
【００５４】
また、図３（ｃ）に示すように、下流側ガイド部９５上部には、突起状の除電針折れ防止部９９が複数形成されており、図４に示すように、除電ユニット９１として組み付けられたときに、各除電針折れ防止部９９が、除電針板９４に対して用紙の搬送方向Ｅの下流側で、各除電針９８に対応する位置に配置される。本実施の形態１では、除電針折れ防止部９９も、図４に示すように、仕切り部９６に平行な三角板形状としている。
【００５５】
上流側ガイド部９３および下流側ガイド部９５は、ＰＥＴ（ポリエチレンテレフタレート）やＰＢＴ（ポリブチレンテレフタレート）等の耐熱性のポリエステル樹脂から形成されている。
【００５６】
図２に示すように、除電ユニット９１は、上流側ガイド部９３側が用紙が搬送されてくる側に配置され、搬送されてくる用紙に対して、複数の除電針９８が用紙の幅方向に並び、その先端が用紙の面に向かうように配置される。
【００５７】
なお、上流側ガイド部９３が、本発明の接触防止部材の一例にあたり、仕切り部９６が、本発明の仕切り部材の一例にあたる。また、除電針折れ防止部９９が、本発明の折れ防止部材の一例にあたる。
【００５８】
図４の除電針９８を通るＢ−Ｂ´断面図を、図５に示す。
【００５９】
図５に示すように、除電針板９４は、下流側ガイド部９５の上流側の面に接するように取り付けられ、各除電針９８の下部の側面部分が各除電針折れ防止部９９に接している。つまり、除電針折れ防止部９９の上に、除電針９８の先端部分が突出するように配置される。
【００６０】
一方、上流側ガイド部９３は、除電針板９４の上流側の位置で、除電針９８の先端よりも、その上端部分が用紙の面に近い位置となるように配置されている。
【００６１】
図５に示すように、除電針板９４の上流側の上流側ガイド部９３の上端部分が、除電針９８の先端よりも用紙の面に近い位置となるように配置され、仕切り部９６が、その上端部分から連続する形状で形成されているので、用紙が不安定な状態で搬送されてきても、用紙が除電針９８の先端から離れた位置に誘導され、用紙が除電針９８の先端に接触するのを防止する。
【００６２】
また、図４に示すように、仕切り部９６が、除電針９８を１本ずつ仕切るように配置されているので、不安定な状態で搬送されてきた用紙の端部が、除電ユニット９１の除電針９８が配置されている隙間に入り込むのを防止できる。さらに、隣接する除電針９８同士の干渉の影響も抑制できる。
【００６３】
またさらに、ジャム処理などの際に、除電針９８の先端に用紙が引っ掛かったような場合であっても、除電針折れ防止部９９が個々の除電針９８の下部に接していることにより、除電針９８は、用紙の搬送されていく方向へは折れ曲がり難い。
【００６４】
なお、本実施の形態１では、用紙の端部が、除電ユニット９１の除電針９８が配置されている隙間に入り込み難くするために、除電針９８を１本ずつ仕切るように仕切り部９６を設けることとしたが、仕切り部９６を設けない構成であっても、個々の除電針９８の下部に接する位置に除電針折れ防止部９９を設けておけば、除電針９８の折れ曲がりを防止できる。
【００６５】
また、本実施の形態１では、除電針折れ防止部９９を、個々の除電針９８の下部の側面に接するように配置する構成で説明したが、除電針９８の下流側に配置すれば、除電針９８から少し離れていても除電針９８の折れ曲がりを阻止する効果は得られるので、除電針折れ防止部９９は、除電針９８から離れた位置に配置されていてもよい。
【００６６】
次に、本実施の形態１の除電ユニット９１の他の構成例の拡大斜視図を図６（ａ）〜（ｃ）に示す。
【００６７】
図４の構成では、除電針９８の下部の側面の下流側に配置する除電針折れ防止部９９を、各除電針９８に対応するように、下流側ガイド部９５の上部に複数のブロック部材を形成させる構成としたが、個々の除電針９８の下部の側面に配置される構成であれば、除電針９８の１本ずつに対して個別に設ける構成でなくてもよい。例えば、図６（ａ）に示すように、複数の除電針９８の下流側に、１つのブロックで複数の除電針９８の下部に位置するような形状の除電針折れ防止部９９を下流側ガイド部９５の上部に形成させるような構成でもよい。
【００６８】
図６（ａ）に示した除電針折れ防止部９９は、図４に示した複数の除電針折れ防止部９９を連続した一つのブロックとした構成である。
【００６９】
また、図４の構成では、各除電針９８の周囲のうち、仕切り部９６と除電針折れ防止部９９の間に隙間がある構成としたが、この隙間が無いように、各除電針９８の周囲を取り囲むような構成としてもよい。図６（ｂ）の構成は、図４に示した仕切り部９６および除電針折れ防止部９９の形状を変えて、これらの各ブロック間の隙間が無いようにした構成例である。
【００７０】
また、図４の構成では、除電針板９４の上流側に配置される部分の上流側ガイド部９３の形状を、１枚の板状としたが、上流側から搬送されてくる用紙と各除電針９８との接触を防止できる形状であれば、他の形状であってもよい。
【００７１】
図６（ｃ）の上流側ガイド部８１は、その一例として、除電針板９４の上流側に配置される部分の形状を、除電針９８への用紙の接触を個別に防止する複数の板状としたものである。
【００７２】
また、図４の構成では、隣接する除電針９８を仕切るための仕切り部９６を上流側ガイド部９３の上部に形成することとしたが、図６（ｃ）の構成では、仕切り部８４を、除電針折れ防止部８３とともに下流側ガイド部８２の上部に形成する構成としている。
【００７３】
このように、各除電針９８の上流側に、除電針９８の先端よりも搬送されてくる用紙の面に上端部が近い接触防止部材を設けるとともに、各除電針９８の下流側に接して、または近傍に折れ防止部材を設ける構成とすれば、除電針９８の折れ曲がりを防止できる。
【００７４】
なお、本実施の形態１では、タンデム方式のカラー複写機の場合について説明したが、定着部に進入する前に、用紙が帯電される構成の画像形成装置であれば、本発明を適用できる。例えば、１ドラム方式のカラー複写機などにも適用できる。
【産業上の利用可能性】
【００７５】
本発明に係る除電装置および画像形成装置は、除電針の変形を防止できる効果を有し、プリンタ、複写機およびファクシミリなどの画像形成装置、およびそれらに用いる除電装置等として有用である。
【符号の説明】
【００７６】
１  複写機
２  給紙カセット
３  画像読み取り部
４  ブラック画像形成部
５  イエロー画像形成部
６  シアン画像形成部
７  マゼンダ画像形成部
８  中間転写ベルト
９  二次転写部
１０  定着部
１１  クリーニング装置
１２  排出ローラ対
１３  排出トレイ
１４、１５、１６、１７  一次転写ローラ
２１、２２  従動ローラ
２４  駆動ローラ
２５  レジストローラ
２６  搬送ベルト
４０、５０、６０、７０  感光体ドラム
４１、５１、６１、７１  帯電器
４２、５２、６２、７２  現像器
４３、５３、６３、７３  クリーニング部
４４、５４、６４、７４  除電器
４５、５５、６５、７５  現像ローラ
４６、５６、６６、７６  ＬＳＵ
８１  上流側ガイド部
８２  下流側ガイド部
８３  除電針折れ防止部
８４  仕切り部
９１  除電ユニット
９２  二次転写ローラ
９３  上流側ガイド部
９４  除電針板
９５  下流側ガイド部
９６  仕切り部
９７  フレーム部
９８  除電針
９９  除電針折れ防止部
【図１】
2010256790.tif 000003
【図２】
2010256790.tif 000004
【図５】
2010256790.tif 000005
【図７】
2010256790.tif 000006
【図３】
2010256790.tif 000007
【図４】
2010256790.tif 000008
【図６（ａ）】
2010256790.tif 000009
【図６（ｂ）】
2010256790.tif 000010
【図６（ｃ）】
2010256790.tif 000011